(57)【要約】  【課題】  唇をその形態的特徴に基づいて分類する方法及びその分類法に基づいて作成される座標からなる唇分類マップを提案せんとするものであり、唇のメーキャップによる化粧法や顧客への美容カウンセリング、或いは美容コンサルタントや美容師の教育に利用することが出来る。  【解決手段】  顔の正面から見た唇の大きさ、形状を第１の分類指標とし、唇の立体的な形態を第２の分類指標とした分類方法、及び第１の分類指標の度合を示す第１の座標軸と、第２の分類指標の度合を示す第２の座標軸とからなり、第１，第２の座標軸が直交する座標に構成した分類マップ。【選択図】  図５
2006116154.tif 000002
【特許請求の範囲】
【請求項１】
唇にメーキャップ化粧料を適用するに際して、唇の形態を調整する手法を適用して唇の輪郭線を描き、該輪郭線を基準にしてメーキャップ化粧料を適用し、化粧を施すようにしたことを特徴とする唇の化粧方法。
【請求項２】
複数の調整のための手法が、次の５つのステップからなることを特徴とする請求項１記載の化粧方法、
ステップ１：唇の山を鼻孔の中心から下ろした垂線上に位置させる、
ステップ２：下唇の底辺の形を、あご先の形に合わせる、
ステップ３：下唇の形を、あごラインとほぼ並行にする、
ステップ４：口角ラインを引締める、
ステップ５：上唇の谷から山への角度を１０〜１５度の範囲とする。
【請求項３】
唇の上下比率を、１：１．３〜１：１．５の範囲内としたことを特徴とする請求項１又は２記載の化粧方法。
【請求項４】
本来の唇の輪郭線と前記描写した輪郭線との調整範囲を、２mm以内としたことを特徴とする請求項１、２又は３記載の化粧方法。
【請求項５】
上唇の谷と山の形状に沿ってＶ字状に二つの方向に延びるスケール部を有し、Ｖ字の谷を上唇の谷に合わせ、スケール部を山に合わせて谷と山の形状を描きうるようにしたことを特徴とする唇化粧用器具。
【請求項６】
スケール部の一端にハンドル部が連結されていることを特徴とする請求項５記載の唇化粧用器具。
【請求項７】
スケール部のＶ字の角度を、１０〜１５度の範囲において調整可能としたことを特徴とする請求項５又は６記載の唇化粧用器具。
【請求項８】
下唇の輪郭線に沿ってＶ字状に二つの方向に延びるスケール部を有し、Ｖ字の谷を下唇の下端中央に合わせてスケール部をあごのラインに合わせて位置させ、該スケールに沿って下唇の輪郭線を描くようにしたことを特徴とする唇化粧用器具。
【請求項９】
Ｖ字状のスケール部の中心に下方に延びるハンドル部を取付けたことを特徴とする請求項８記載の唇化粧用器具。
【請求項１０】
スケール部が、角度を調整自在とされていることを特徴とする請求項８又は９記載の唇化粧用器具。
【請求項１１】
スケール部の角度が固定的であることを特徴とする請求項８又は９記載の唇化粧用器具。
【発明の詳細な説明】
【技術分野】
【０００１】
この発明は、唇を形態上の特徴に対応して唇に好ましく且美しいと評価されうるメーキャップを適用し得るようにした唇の化粧方法に関する。
【背景技術】
【０００２】
従来、美容方法に有益に使用することを目的として、顔立ちの分類、目ものとメーキャップ法、或いは天然肌色を再現するファンデーションからの選択方法等が提案されている。例えば、特許第３５２９９５４号公報には、顔の長さ、目、眉、口、鼻等の形態要素の配置状態と、該形態要素の輪郭形状とによって、顔立ちの特徴を把握し、特徴別に分類する方法及び該分類法に基づいて作成される座標からなる顔立ち分類マップが開示されている。しかしながら、この顔立ち分類法は、顔全体の形態要素をその配置状態或いは輪郭形状に基づいて分類するものであり、唇のみを取り出して分類するには適用することは出来なかった。
【０００３】
特許第３４２３３１１号公報には、メーキャップ対象の目の虹彩の光沢色、輪郭色或いは印象色について個性的な色を判定し、該判定された個性的な色に一致するメーキャップ品、例えばペンシルは輪郭色、印象色に、マスカラは輪郭色に、アイシャドウとリップスティックは光沢色にそれぞれ一致させるように選択して顔の各ゾーンに付けることを特徴とする目もとケーキャップ法が提案されている。このメーキャップ法では、唇に適用されるメーキャップ品であるリップスティックを、目の虹彩の光沢色に一致させることが提案されている。しかしながら、この目もとメーキャップ法は、目の虹彩の色に多様性がある欧米人に適用されることを目的に開発されたものであり、基本的に黒色からなる日本人のメーキャップ法としては、適用することが出来なかった。
【０００４】
又、特許第２９８６２１４号公報には、腕の内側、外側若しくは両方の中間領域の肌色と該肌色に関連するファンデーションカラーとの組合せのデータベースを作成し、特定の人の肌色を測定して、該測定した肌色をデータベースに蓄積されている肌色と対比して近似した肌色を選出し、該選出された肌色に基づいて関連するファンデーションカラーを定めるようにしたヒトの天然肌色を再現するためのファンデーションカラーの決定方法及びそのための装置が提案されている。しかしながら、この方法は、目的のヒトの本来の肌色を再現するファンデーションカラーの選択には適しているが、形状、口幅、上下の唇の比率等をメーキャップをする際の要素として考慮しなければならない唇のメーキャップ法には適用することが出来なかった。
【０００５】
【特許文献１】特許第３５２９９５４号公報
【特許文献２】特許第３４２３３１１号公報
【特許文献３】特許第２９８６２１４号公報
【発明の開示】
【発明が解決しようとする課題】
【０００６】
本発明は、唇の形態的特徴を把握し、把握される形態的特徴を調整するメーキャップ手法を提案し、該手法に基づいてメーキャップを施すことにより、唇の化粧を行い得る化粧方法及び該メーキャップ手法を適用するに際して利用し、簡単、確実に手法の実現を行うための器具を提案せんとするものである。
【課題を解決するための手段】
【０００７】
課題を解決するために、この発明が採った化粧方法は、唇にメーキャップ化粧料を適用するに際して、唇の形態を調整する手法を適用して唇の輪郭線を描き、該輪郭線を基準にしてメーキャップ化粧料を適用し、化粧を施すようにしたことを特徴とし、複数の調整のための手法は、次の５つのステップからなる。
ステップ１：唇の山を鼻孔の中心から下ろした垂線上に位置させる、
ステップ２：下唇の底辺の形を、あご先の形に合わせる、
ステップ３：下唇の形を、あごラインとほぼ並行にする、
ステップ４：口角ラインを引締める、
ステップ５：上唇の谷から山への角度を１０〜１５度の範囲とする。
【０００８】
唇の上下比率を、１：１．３〜１：１．５の範囲内とし、本来の唇の輪郭線と描写した輪郭線との調整範囲を、２mm以内としたことを特徴とする。
【０００９】
又、化粧器具は、上唇の谷と山の形状に沿ってＶ字状に二つの方向に延びるスケール部を有し、Ｖ字の谷を上唇の谷に合わせ、スケール部を山に合わせて谷と山の形状を描きうるようにしたことを特徴とし、スケール部の一端にはハンドル部が連結され、好ましくはスケール部のＶ字の角度は、１０〜１５度の範囲において調整可能である。
【００１０】
更に、下唇の輪郭線に沿ってＶ字状に二つの方向に延びるスケール部を有し、Ｖ字の谷を下唇の下端中央に合わせてスケール部をあごのラインに合わせて位置させ、該スケールに沿って下唇の輪郭線を描くようにしたことを特徴とし、Ｖ字状のスケール部の中心に下方に延びるハンドル部が取付けられ、スケール部が、角度を調整自在若しくは角度が固定的であることを特徴とする。
【発明の効果】
【００１１】
本発明の唇の化粧方法によれば、唇を形態的特徴を調整し、美しいと評価されるメーキャップを簡単、確実に施し得るメーキャップ手法を提案することが出来る。又、メーキャップ用器具を利用することにより、メーキャップ手法を容易且確実に実現することが可能となる。
【発明を実施するための最良の形態】
【００１２】
この発明の好ましい実施の形態を、以下に詳細に説明する。図１は、従来知られている顔立ちの標準的なプロポーションを示す図であり、化粧品メーカーの美容研究者や店頭で顧客に美容に関する情報を提供するビューティコンサルタント等により顧客へのメーキャップのアドバイスや教育のために広く利用されている。この標準的なプロポーションは、複数の判定者へのアンケート調査の集約によって美人と評価された複数の顔を、コンピュータグラフィックス技術によってモーフィングしたものである。この標準的なプロポーションにおいて、唇のプロポーションは、口の位置、口幅、標準的な唇の特徴を指標として、数値的に特徴付けられている。図１を参照しつつ、唇の位置は、小鼻（ａ）からあご先（ｂ）までの長さを２等分したところ（ｃ）に下唇の下線が位置し、口幅は、両目の虹彩（黒目）の内側を垂直に下ろしたところに唇の両端が位置し、又、標準の唇は、唇の山が口角から唇の中央までの３／４のところに位置し、上唇と下唇の厚みの比率は１：１．５と定義されている。
【００１３】
美容コンサルタントが店頭等で顧客に唇のメーキャップについてアドバイスを行う場合、このように定義された指標に従って、標準の唇に近づけるように調整するメーキャップ法が提案されてきている。尚、調整を必要とする唇の場合、調整の結果が不自然となるのを回避するために、約２mm程度の範囲内で変化させることとしている。しかしながら、このような標準的なプロポーションに基づく唇のメーキャップでは、個々の唇に対応したメーキャップを提案することが困難である。又、この標準的なプロポーションは、少なくとも２０年以上も前に作成されたものであり、時代の推移により顔のプロポーションは勿論のこと、唇やあごの形態、大きさも食生活の変化にともなって変化してきていると考えられるため、現代の女性の唇のメーキャップには適合していない可能性もある。例えば、現代の２０歳の女性の唇は、２０年前の唇と比較すると、口幅が小さくなり、上下の唇の比率が接近し、厚みの増したぽっちゃりしたイメージを有する形態となっており、前記標準的なプロポーションと異なってきている。又、従来の標準的な唇のプロポーションは、口の位置、口幅、唇の山の位置及び上・下唇の比率の４つの要素が指標とされているに過ぎず、唇のプロポーションの把握には、要素数が少なく大まかであると考えられる。
【００１４】
そこで、本発明者等は、先ず唇をその形態的特徴に基づいて分類し、該分類法に基づいて形態的特徴を座標に表した分類マップを作成した。この唇の分類法及び分類マップにより、女性の唇の形態的特徴並びにイメージの把握が容易となった。又、前記したように現代の女性、特に２０歳の女性の唇は、厚みが増してぽっちゃりしたイメージを有している、或いは上・下唇の比率も前記した標準の比率１：１．５から変化しているのではないとの推定を確認することも出来た。次に、唇を美しくメーキャップするための方法を検討し、美しく描くための技術的手法を完成した。この技術的手法を適用することにより、特定のヒトの唇について最も適したメーキャップ方法を提案することが出来、他人から見ても似合っていると認めうるメーキャップを唇に施すことが可能となった。更に、かかる技術的手法の適用に際して、手法の適用を補助し容易且確実に手法の適用を可能とする器具を提案する。
【００１５】
分類法及び分類マップ
先ず、唇の分類法及び分類マップについて説明する。唇の形態を分類するに際して、本発明者等は１．唇の横幅、２．上唇の山と谷の形態、３．下唇の底辺（船底）の形態、４．唇の輪郭形状が直線的形態か曲線的形態か、５．唇の立体的な形態の５つのポイントに着目し、この５つのポイントを指標として、唇の形態を分類することを考案した。そして、このようなポイントによる分類の是非を、アンケート調査により確認した。１．唇の横幅、２．上唇の山と谷の形態並びに３．下唇の底辺（船底）の形態は、唇を正面から見た大きさ、形状を表している。そこで１．から３．の形態を一つのグループとしてまとめ、分類の第１の指標とした。又、４．唇の輪郭形状が直線的形態か曲線的形態か、及び５．唇の立体的な形態は、唇の立体的な特徴を表しているので、４．及び５．の形態を他の一つのグループとしてまとめ、分類の第２の指標とした。分類マップは、第１の指標を第１の分類軸とし、第２の指標を第２の分類軸として、第１，第２の軸が直交する座標に構成したものであり、座標の中心には標準的な形態を有する唇が配される。
【００１６】
図３，４に、前記２．から５．の指標であるポイントの部分を図示した。図３，４において、符号１は上唇の山と谷の部分を、符号２は下唇の船底の部分を、符号３は唇の立体的な形態をそれぞれ指称しており、唇の輪郭形状が直線的か曲線的かは、船底や下唇の両側縁(符号４で示される部分)の形態が直線を主とする形状か、曲線を主とする形状かによって判定する。アンケートは、現代の２０歳の女子学生５０名の唇を写した写真と顔の下半分を写した写真を作成し、美容研究者２３名に唇及びあごの形態について、特徴と思われる項目及び特徴点について判定させた。又、２０年前に撮影した５０名の女子社員の写真についても、同様の項目及び特徴点をアンケートにより判定した。これらのアンケートの回答を分析した結果、前記選定された１．から５．の形態は唇の特徴を表す指標として、有効であることが確認出来た。
【００１７】
分類マップの座標を構成する第１の分類軸は、１．唇の横幅、２．上唇の山と谷の形態及び３．下唇の底辺（船底）の形態の度合を示す軸であり、本明細書においてバランス軸と称する。又、第２の分類軸は、４．唇の輪郭形状が直線的形態か曲線的形態か及び５．唇の立体的な形態について、その度合を示す軸であり、フォルム軸と称する。図５は、これら二つの軸によって構成される分類マップを示しており、第１の分類軸(バランス軸)を縦軸とし、第２の分類軸（フォルム軸）を横軸とする座標からなり、座標の中心には標準的な形態を有する唇が配される。標準的な唇は、前記図１，２に示す標準プロポーションの唇の形態としても良く、或いはアンケートにより多数の判定者が美しいと認めた唇の形態であっても良い。
【００１８】
図５を参照して、分類マップのバランス軸（縦軸）の上端には、口の横幅が狭い、下唇の底辺が短い形態、上唇の山と谷の角度が小さい形態を配し、下端には口の横幅が広い、下唇の底辺が長い形態、上唇の山と谷の角度が大きい形態が配される。又、フォルム軸（横軸）の右端には、唇の形状が全体的に曲線を感じる、上唇の山に丸みがあり、唇がふっくらと立体的に見える形態が配され、左端には、唇の形状が全体的に直線が感じられ、上唇の山が角張っており、唇がスッキリとし平面的に見える形態が配され、顔立ちの印象やイメージを表している。バランス軸は、上端に行くに従って、かわいらしく、子供っぽいイメージとなり、逆に下端に行くに従って、大人っぽく、落ち着いたイメージとなる。又、フォルム軸は、右端に向って、曲線が感じられ、優しく女らしいイメージとなり、左端に向っては、直線が感じられ、スッキリとした、フレッシュで活発的なイメージとなる。
【００１９】
図６は、前記現在の２０歳の女性５０名の唇の形態を、図５の分類マップ上に表示した分類表であり、図７は２０年前の２０歳の女性５０名を同様に表示した分類表である。各分類表において、各唇の位置は、その形態的特徴基づいて配列されており、その位置によって、それぞれの唇が有する形態的特徴や、イメージを把握することが出来る。図６の分類表においては、縦軸(バランス軸)の右側の座標面に位置する唇が左側よりも多いことが理解され、図７では逆に左側の座標面に位置する唇の方が多いことが理解される。このことから、前記した時代の推移により顔のプロポーションは勿論のこと、唇やあごの形態、大きさも食生活の変化にともなって変化してきているとの、推測を確認することが出来る。この発明のマップを利用することにより、特定の唇のイメージを把握し、メーキャップに際してのアドバイスの作成、或いは美容部員等への教育ツールとして利用することが出来ることは勿論であるが、時代の推移に伴う唇の形態の変化を把握し、確認するためにも利用することが出来る。
【００２０】
前述したように、２０年前と比較して柔らかい食物の摂取が多くなったという食生活の変化により、顔の形態、特にあごの発達が少なくあごの形状が２０年前と比べると、細くなり、角張ることなく丸くなり、子供顔となっていると推測されるので、これを確認するために前記子供顔・大人顔の度合を示すバランス軸と、曲線的・直線的の立体的な形状の度合を示すフォルム軸とからなる分類マップを利用して、前記現代の女性５０名と２０年前の女性５０名の顔の下半分の形態を分類したところ、図８，９に示す分類表を得ることが出来た。図８の現代の女性は、マップの上半分に多く位置しているのに対し、図９の２０年前の女性は、マップの下半分に多く位置しており、現在の女性は、過去の下半分が短めで子供顔であり、あごラインは小さいのに対し、２０年前の女性は顔の下半分は長めで大人顔であり、あごラインはしっかりしていると評価することが出来、前記推測を確認することが出来た。
【００２１】
唇の上下比率
図１，２に関連して前述したように、従来の標準的プロポーションにおける唇の上下比率は、１：１．５であったが、現代の女性の唇は、図６の分類表により理解されるように、バランス軸の右側の座標面に位置する女性が多く、曲線が感じられ、上唇の山に丸みがあり、ふっくらと立体的なイメージを有しており、唇の上下比率も変化している可能性がある。そこで、現代の女性５０名全ての唇の上下の寸法を計測し、その平均値を算出したところ、１：１．４３であった。又、現在の女性の特徴を備えていると見ることの出来る、右側の座標面に位置するヒトについてその平均値の上下比率を見ると、１：１．３であった。更に、アンケート判定者に対して、前記５０名の中で最も美しいと思われる唇並びに右側の座標面に位置する唇の中で最も美しいと思われる唇をアンケートした。
【００２２】
更に、５０名全体並びに右側の座標面に位置する唇それぞれについて、コンピュータグラフィックスによるモーフィング手法を利用して二つのグループの唇を集約化してそれぞれ一つの唇の形態を取り出した。前記アンケート結果による唇と、モーフィングによる唇とを対比したところ、両者は実質的に同じであった。そこで、５０名全体を集約した唇と、座標面の右側に位置するヒトを集約した唇並びに標準的なプロポーションの唇の３つの唇の平均値を計測し、上下比率を見たところ、１：１．４であった。この結果から、現代の女性の唇の上下比率は、１：１．３〜１：１．４３となっていることが理解出来た。すなわち、従来の上下比率１：１．５から変化しているのである。しかしながら、従来の比率も充分に根拠を有し、現代の女性にも充分に適用される比率であると理解されることからすると、唇の上下の比率は１：１．３〜１：１．５の幅を有した範囲と言うことが出来る。従って、唇にメーキャップを施す場合、この範囲になるように唇をメーキャップすれば、上下のバランスが取れた唇との評価を得ることが出来ると考えられる。
【００２３】
唇のメーキャップ方法
以上説明した分類並びに唇の上下比率を利用しつつ、本発明者等は美しいとの評価を得る唇を描くための技術的な手法を案出した。次に、そのメーキャップの手法を、図１０〜１２を参照して、詳細に説明する。手法は次の１〜５の５つのステップからなる。ステップ１は、唇の山を鼻孔の中心から下ろした垂線上に位置させる、ステップ２は、下唇の底辺をあご先の形とほぼ同じ形にする、ステップ３は、下唇の形を、あごラインとほぼ並行であごと唇の間のスペースのバランスが整った形状とする、ステップ４は、口角ラインを引締める、ステップ５．上唇の谷から山にかけての角度を１０度から１５度の範囲とするである。尚、このステップは、当該ステップを適用する順序を示すものではなく、ステップの適用順序は前後入れ替わっても構わない。
【００２４】
これらのメーキャップ手法は、１０名のモニターに種々の形と質感の唇を描き写真に撮影して美容技術者３４名を判定者として、唇毎の評価をアンケートし、アンケート結果より、美しい、似合っている等の積極的な評価を得られた唇の形態の特徴を分析し、集約して、前記メーキャップ手法のステップ１〜５を作成した。ステップ５の、上唇の谷から山にかけての角度は、標準の唇の角度が１０度であり、角度が１０度より小さいと図１３の左側の唇のように平らになり過ぎしまう。又、前記現代の２０歳の女性５０名をモーフィングした唇について計測すると、１５度であり、１５度より大きすぎると、図１３の右側の唇のように山が高く見え目立ってしまうので好ましくなかった。
【００２５】
次に、前記メーキャップ手法を利用して、実際にモデルの唇にメーキャップを施す場合について、図１４〜１８を参照して説明する。図１４は、モデルＡの唇を示し、唇の輪郭線(10)を描出して形態を明確にした。モデルＡの唇は、全体的に厚みがある、唇の山と山が近い、口幅が狭い、口角が下がっている等の特徴を有し、調整が必要とされる。尚、調整を必要とする唇の場合、前述したように調整の結果が不自然となるのを回避するために、約２mm程度の範囲内で変化させることが必要である。先ず、図１５を参照して、鼻孔の中心から垂下した位置に山を描く。この際、唇の厚みを調整するために上唇との接点よりやや低めに位置させ、唇を実際より若干薄く描くよう上唇の谷と山のメーキャップ線(11)を描出する。谷と山の角度は、前記ステップ５．に従って、１０〜１５度の範囲において任意の角度に設定する。１０〜１５度の範囲内であれば、実際の調整量は、１mm程度の大きさの調整に止まるため、大きな差異は生じない。
【００２６】
次に、図１６を参照して、ステップ２．に従って、下唇の底辺の線(12)をあご先の形状線(13)に合わせて描く。この時、唇が厚いので、底辺の線(12)を若干内側に描く。尚、前記上唇と同様に２mmの範囲内で調整する。更に、図１７に示すようにステップ３．に従って、下唇の形状(14)を、あごライン(15)とほぼ並行に描き、あごと唇の間のスペースのバランスを整えると共に、ステップ４．に従って、口角ライン(16)を引締める。そして、ステップ１．〜５に従って得られた描写線(11)(12)(14)(16)をなめらかに連結してメーキャップを施す。図１８にこのメーキャップ法に従って描かれた唇(右側)と、調整をすることなく本来の形態に沿ってそのまま描いた唇(左側)とを対比して示す。両者を比較すると、この発明のメーキャップ法を適用した右側の唇の形態の方が、バランスが整い、綺麗であり、美しいと評価出来る。
【００２７】
次に、以上説明した唇のメーキャップを適用するに際して、唇の悩みタイプ別に、メーキャップの調整ポイントを簡単に説明すると表１の通りである。
【００２８】
【表１】
2006116154.tif 000003
【００２９】
メーキャップ用器具
図１９、２０は、前記唇のメーキャップを適用するに際して好適なメーキャップ用器具を示す。前述したように、上唇の谷と山の角度は、１０〜１５度の範囲とすることが好ましくは、その角度は、前記表１に示すように唇の形態に応じて選択される。又、下唇の両側の形状はあごラインとほぼ並行に描くことが求められている。図示のメーキャップ用器具は、谷と山の角度を描くために好適な器具及び下唇の両側の形状をあごラインと平行に描くために好適な器具である。図１９は、上唇の谷と山の角度を描くための上唇用器具であって、谷から山に沿って二つの方向にＶ字状に延びる部材からなるスケール部(20)とハンドル部(21)からなり、スケール部(20)は、１０度から１５度の範囲において角度を調整可能な好ましくは板状の部材からなり、ハンドル部(21)はスケール部(20)の一端に一体的に連結された板状部材である。材質、厚み等は特に限定されないが、例えば0．２〜４mmのアクリル樹脂或いは形状記憶素材で形成する。スケール部(20)とハンドル部(21)は、好ましくは色を異ならせておく。使用に際しては、鼻孔の中心から下ろした位置に唇の山の頂点をセットし、リップペンシル等で印を付ける。Ｖ字スケールの中心を谷の底に合わせて前記付記した山の印からリップペンシル若しくは紅筆で線を引いて、谷から山の頂点まで線を描く。その後、口角と山の印を結んで上唇の輪郭線を描く。
【００３０】
図１９(ａ)に示す器具は、スケール部が屈曲自在な板状部材で構成され、角度を任意に調整しうるようにしたものであり、（ｂ）の器具はスケール部をヒンジ結合し、角度を調整自在としたものである。(ｃ)の器具は、スケール部を断面三角形状としたものである。(ｄ)の器具は、中央の張出部を唇の上部に当接して、角度の確認を容易としたものである。(ｅ)の器具は、ハンドル部(21)をスケール部(20)の一端に垂直に取付けたものである。
【００３１】
図２０は、下唇の両側の形状をあごラインと平行に描くための下唇用器具であって、下唇の下端中央から口角に向って二つの方向にＶ字状に延びる部材からなるスケール部(30)とハンドル部(31)からなり、ハンドル部(31)をスケール部(30)の中心に取付けてＹ字形状に形成する。スケール部(30)は、好ましくは角度を任意に変更自在なようにヒンジ連結されるが、角度変更は必須とするものではない。図２０(ｅ)に示すように固定された形状であっても良い。材質、厚みは、前記上唇用器具と同様に、例えば０．２〜０．４mmのアクリル樹脂或いは形状記憶素材からなるが、限定されるものではない。使用に際しては、あごラインの形にスケール部(30)の角度を合わせつつ、スケールを下唇の口角に沿わせる。リップペンシル又は紅筆でスケールに沿って線を引き、下唇の底辺と自然な丸みを付けて結ぶ。下唇の底辺は、下唇の底辺をあご先の形とほぼ同じ形にしつつ、好ましくは唇の山と山の幅より若干長めに描く。
【００３２】
図１９，２０の器具を用いることにより、鏡を見ながら上唇及び下唇の最も重要なポイント部分である、山と谷形状、下唇の両側から口角にかけての形状を簡単且確実に描くことが可能となる。
【図面の簡単な説明】
【００３３】
【図１】顔立ちの標準プロポーションを示す図
【図２】唇の標準プロポーションを示す図
【図３】唇の分類指標となるポイントを示す正面図
【図４】同側面図
【図５】分類マップを示す図
【図６】現在の女性の唇の分類表
【図７】２０年前の女性の唇の分類表
【図８】現代の女性のあごの形状の分類表
【図９】２０年前の女性のあごの形状の分類表
【図１０】唇メーキャップ手法を示す図
【図１１】上唇の山と谷の１０度の角度を示す図
【図１２】同１５度の角度を示す図
【図１３】山と谷の角度が１０〜１５度の範囲外である唇の形状を示す図
【図１４】モデルＡの唇の輪郭線を示す図
【図１５】モデルＡの調整した山と谷の輪郭線を示す図
【図１６】モデルＡの下唇の底辺の調整輪郭線を示す図
【図１７】モデルＡの全ての部分の調整輪郭線を示す図
【図１８】モデルＡの調整前の唇と調整後の唇の写真
【図１９】上唇用器具の例を示す図
【図２０】下唇用器具の例を示す図
【符号の説明】
【００３４】
ａ  小鼻の位置
ｂ  あご先の位置
ｃ  下唇の下線の位置
(１)上唇の山と谷の部分
(２)下唇の船底の部分
(３)唇の立体的な形態
(４)下唇の両側縁の形態
(10)モデルＡの唇の輪郭線
(11)谷と山の調整輪郭線
(12)下唇の底辺の調整輪郭線
(13)あごの底辺の形状線
(14)下唇の両側の調整輪郭線
(15)あごライン
(16)上唇の口角に至る調整輪郭線
(20)上唇用スケール部
(21)同ハンドル部
(30)下唇用スケール部
(31)同ハンドル部
【図１】
2006116154.tif 000004
【図２】
2006116154.tif 000005
【図３】
2006116154.tif 000006
【図４】
2006116154.tif 000007
【図５】
2006116154.tif 000008
【図１０】
2006116154.tif 000009
【図１３】
2006116154.tif 000010
【図１４】
2006116154.tif 000011
【図１５】
2006116154.tif 000012
【図１６】
2006116154.tif 000013
【図１７】
2006116154.tif 000014
【図１９】
2006116154.tif 000015
【図２０】
2006116154.tif 000016
【図６】
2006116154.tif 000017
【図７】
2006116154.tif 000018
【図８】
2006116154.tif 000019
【図９】
2006116154.tif 000020
【図１１】
2006116154.tif 000021
【図１２】
2006116154.tif 000022
【図１８】
2006116154.tif 000023